(57)【要約】【課題】案内通路に案内される遊技球に静電気が帯電するのを防止して、静電気に起因して制御基板の誤作動が発生するのを防止することができる遊技機を提供する。【解決手段】案内通路３２Ａ、３２Ｂ、３３Ａ、３３Ｂ、３４Ａ、３４Ｂ、３５、３６、３７を形成するガイド部材３１Ａおよびカバー部材３１Ｂを帯電防止性樹脂から構成する。また、帯電防止性樹脂を７０〜９５％重量のＡＢＳ樹脂に、５〜３０％重量のポリアミド系の吸湿性材料を添加したものから構成することが望ましい。【選択図】　　　図３
2004033410.tif 000002
【特許請求の範囲】
【請求項１】
遊技盤の表面に設けられ、遊技球が入賞する複数の入賞口と、前記遊技盤の背面に前記入賞口に対応して設けられ、前記入賞口に入賞した前記遊技球を遊技球収納部に案内する複数の案内通路と、前記複数の案内通路に連通され、前記案内通路を集結する集結通路と、前記集結通路に設けられ、前記集結通路を通過する遊技球を検知する遊技球検知センサとを備えた遊技機において、前記案内通路を帯電防止性樹脂から構成したことを特徴とする遊技機。
【請求項２】
前記帯電防止性樹脂は、７０〜９５％重量のＡＢＳ樹脂に、５〜３０％重量のポリアミド系の吸湿性材料を添加したものから構成されることを特徴とする請求項１記載の遊技機。
【発明の詳細な説明】
【０００１】
【発明の属する技術分野】
本発明は、遊技機に関し、詳しくは、遊技球が案内通路に案内されたときに静電気が発生するのを防止することができる遊技機に関する。
【０００２】
【従来の技術】
パチンコ遊技機に代表される遊技機においては、遊技盤に遊技球が入賞される入賞口が設けられており、この入賞口としては、特別図柄の変動を開始するためのトリガとなる始動入賞口や、大当り時に一定時間開放され、所定数の遊技球（例えば、１０個）が入賞すると閉塞される開閉扉を備えた大入賞口等がある。
【０００３】
この種のパチンコ遊技機にあっては、始動入賞口や大入賞口に遊技球が入賞したときに入賞口に設けられた近接センサやタッチセンサ等の遊技球検知センサによって遊技球を検知して所定数の賞球（景品球）を払い出すようになっている。
【０００４】
ところが、遊技盤には多数の入賞口が設けられているため、各入賞口毎に遊技球検知センサを設けると、遊技機のコストが増大してしまうため、遊技盤の背面に設けられて各入賞口にそれぞれ連通する案内通路を１箇所に集結して集結通路を形成し、この集結通路に遊技球検知センサを設け、この集結通路を通過する遊技球を遊技球検知センサによって検知することにより、遊技球の払い出しを行うようにしたものがある。
【０００５】
【発明が解決しようとする課題】
しかしながら、このような従来のパチンコ遊技機にあっては、遊技球に帯電した静電気によってパチンコ遊技機を制御する制御基板の誤作動を誘発するおそれがあった。
【０００６】
本出願人は、その理由として、案内通路が樹脂部材から構成されていたため、入賞口に入賞した遊技球が案内通路に案内されるときに案内通路との摩擦により遊技球に静電気が帯電してしまい、この遊技球に帯電した静電気が遊技球検知センサを介してパチンコ遊技機を制御する制御基板に流れて制御基板の誤作動を誘発するおそれがあることを突き止めた。
【０００７】
本発明は、遊技球に静電気が帯電する場所が遊技盤の背面に設けられた案内通路であることを考慮し、この案内通路に案内される遊技球に静電気が帯電するのを防止して、静電気に起因して制御基板の誤作動が発生するのを防止することができる遊技機を提供することを目的としている。
【０００８】
【課題を解決するための手段】
本発明の遊技機は、上記課題を解決するために、遊技盤の表面に設けられ、遊技球が入賞する複数の入賞口と、前記遊技盤の背面に前記入賞口に対応して設けられ、前記入賞口に入賞した前記遊技球を遊技球収納部に案内する複数の案内通路と、前記複数の案内通路に連通され、前記案内通路を集結する集結通路と、前記集結通路に設けられ、前記集結通路を通過する遊技球を検知する遊技球検知センサとを備えた遊技機において、前記案内通路を帯電防止性樹脂から構成したことを特徴としている。
【０００９】
このような構成により、入賞口に入賞して遊技盤の背面に設けられた案内通路に案内される遊技球に静電気が帯電するのを防止することができ、静電気が遊技球検知センサを介して制御基板に流れるのを防止して、制御基板の誤作動が発生するのを防止することができる。
【００１０】
また、本発明の遊技機は、上記課題を解決するために、前記帯電防止性樹脂は、７０〜９５％重量のＡＢＳ樹脂に、５〜３０％重量のポリアミド系の吸湿性材料を添加したものから構成されることを特徴としている。
【００１１】
このような構成により、帯電防止効果を持続することができる。これに代えて、帯電防止スプレーを用いた場合には、帯電防止効果が強いものの、案内通路から剥がれ易くて持続性に乏しく、界面活性剤を用いた場合には、帯電防止効果が弱い上に案内通路から剥がれやすくて持続性も乏しい。
【００１２】
また、金属粉やカーボンを添加することも考えられるが、この場合には、急激な静電気の放電が生じてしまい好ましくない。
【００１３】
【発明の実施の形態】
以下、本発明の好ましい実施形態を図面に基づいて説明する。
図１〜図４は本発明に係る遊技機の表示装置の一実施形態を示す図であり、本発明をパチンコ遊技機に適用した場合を示している。
【００１４】
まず、このパチンコ遊技機の全体の概略構成について説明すると、図１において、パチンコ遊技機１０の前面側には遊技盤１１が着脱可能に取り付けられており、この遊技盤１１はパチンコ遊技機１０の前面側で透明な窓板に覆われた略円形の遊技領域１１ａを形成する。
【００１５】
遊技盤１１の下部には遊技球を収容する図示しない公知の球受け皿および遊技者によって回動操作されるハンドルが設けられており、ハンドルの操作量に応じて図示しない球発射装置が作動し、遊技盤１１の遊技領域１１ａ内に順次遊技球を発射するようになっている。
【００１６】
また、遊技盤１１にはその表面の遊技領域１１ａを取り囲むとともに遊技球の発射通路１２を形成する内外のガイドレール１２ａ、１２ｂが設けられており、遊技領域１１ａの略中央部上側寄りには図柄表示装置１３が装着されている。
【００１７】
また、遊技盤１１の遊技領域１１ａのうち図柄表示装置１３の周囲には、それぞれ入賞口を構成する始動入賞口１４、変動始動入賞口１５、一般入賞口１６Ａ、１６Ｂ、１７Ａ、１７Ｂ、１８Ａ、１８Ｂ、大入賞口１９と、通過ゲート２０Ａ、２０Ｂと、左右の風車２１Ａ、２１Ｂと、左右の装飾用ランプ２２Ａ、２２Ｂとがそれぞれ設けられている。
【００１８】
また、発射通路１２の上端部は遊技盤１１の遊技領域１１ａの天側左方に位置しており、遊技領域１１ａ内に発射された遊技球は遊技領域１１ａに配された多数の遊技くぎ（図示略）に弾かれながら、例えば図柄表示装置１３の上方から左右一方側に流下する。
【００１９】
そして、通過ゲート２０Ａ、２０Ｂを通過するか、そのまま流下するか、あるいは、図柄表示装置１３の側方で風車２１Ａまたは風車２１Ｂに当接して流下し、始動入賞口１４、変動始動入賞口１５、袖入賞口１６Ａ、１６Ｂ、１７Ａ、１７Ｂ、１８Ａ、１８Ｂの何れかに入るか、あるいは、それらから外れて遊技領域１１ａの最下端に設けられたアウト口２３に入る。
【００２０】
また、変動始動入賞口１５は可動片１５ａ、１５ｂを左右方向に開閉動作させるチューリップ式のものから構成されており、その入口幅を拡大縮小することができるようになっている。
【００２１】
また、通過ゲート２０Ａ、２０Ｂには図示しない通過球センサが設けられており、通下球センサは通過ゲート２０Ａまたは２０Ｂを通過する遊技球を検知したとき、図示しない制御基板に信号を出力するようになっている。
【００２２】
制御基板はこの信号に基づいて、例えば、図柄表示装置１３の上部に設けられた公知の普通図柄表示用ＬＥＤに２色交互点灯の点滅による普通図柄変動表示を実行させるとともに、所定色のＬＥＤでその変動が停止したときに変動始動入賞口１５の可動片１５ａ、１５ｂを作動して入口幅を拡大するようになっている。
【００２３】
これら始動入賞口１４、１５や一般入賞口１６Ａ、１６Ｂ、１７Ａ、１７Ｂ、１８Ａ、１８Ｂに遊技球が入賞すると、入賞した１個の遊技球に対して所定数の賞球（景品球）が払い出される。
【００２４】
また、図柄表示装置１３は図柄変動部材としての表示画面を備えており、この表示画面２４は画像信号入力に基づいて任意の画像を表示するもので、例えば、液晶ディスプレイ、ＣＲＴ（陰極線管）またはプラズマディスプレイ等によって構成されている。
【００２５】
また、表示画面２４は、遊技球の始動入賞口１４、１５への入賞時に、予め定められた数字やマークなどの特別図柄をその画面上で変動表示するとともに、それら特別図柄を所定の停止態様で停止させるようになっている。
【００２６】
大入賞口１９は、この図柄表示装置１３での特別図柄の変動停止態様が特定の当り図柄の組合せを構成しているか否かに応じて作動し、アタッカーと呼ばれる開閉扉１９ａを前後方向に開閉しながら、最大開口幅の入賞口を形成するものである。
【００２７】
具体的には、図柄表示装置１３が特別図柄（左図柄Ｎ１、中図柄Ｎ２、右図柄Ｎ３）の変動を開始した後、左図柄Ｎ１、右図柄Ｎ３、中図柄Ｎ２の順に異なるタイミングで特別図柄Ｎ１〜Ｎ３を停止させ、その停止図柄の組合せが所定の賞態様（例えば、７、７、７のような同一図柄が揃う組合せ）となったとき、通常遊技と比較して遊技者に有利な特別遊技の状態、所謂、大当り遊技状態に移行し、大入賞口１９の開閉扉１９ａはその開放動作時間が所定時間に達するか、所定球数の入賞球が発生するまでを１回の周期として開放（開閉）動作され、その扉開放状態で遊技球を大入賞口１９内に導入するようになっている。
【００２８】
また、表示画面２４は、所定の条件で、いわゆるリーチ状態が発生する可能性が通常より高いことを予兆したり、大当たり信頼度（大当たりとなる確率）が非常に高いリーチ状態となることを予告したりする表示、所謂、演出（本実施形態では、表示画面２４の変動表示内容という）を行うようになっている。
【００２９】
ここで、リーチ状態とは、所定の賞態様が構成される直前の特別図柄の変動状態、最終停止図柄である中図柄Ｎ２を残して、第１停止図柄である左図柄Ｎ１と第２停止図柄である右図柄Ｎ３とが同一の数字または絵柄となって揃った状態をいう。また、当たり信頼度が非常に高いリーチ状態とは、前記所定の賞態様が構成される可能性が通常より数倍高いことを意味し、例えば信頼度１００％のプレミアムリーチがこれに相当する。なお、これらの表示画面２４の表示制御は主制御回路や表示画面制御回路等の制御基板によって行なわれるが、本実施形態では、詳細の説明は略す。
【００３０】
また、本実施形態では、始動入賞口１４、変動始動入賞口１５、袖入賞口１６Ａ、１６Ｂ、１７Ａ、１７Ｂ、１８Ａ、１８Ｂおよび大入賞口１９に入賞された遊技球は遊技盤１１の背面に設けられた案内通路を通過して１箇所に集められるようになっている。
【００３１】
以下、案内通路の具体的な構成を図２〜図４に基づいて説明する。なお、図２は遊技盤１１の背面を示す図、図３は遊技盤１１の背面に装着され案内通路を画成するガイド部材３１Ａを示す図、図４はガイド部材３１Ａを覆うように遊技盤１１の背面に装着され、ガイド部材３１Ａとともに案内通路を画成するカバー部材３１Ｂを示す図である。
【００３２】
図３に示すガイド部材３１Ａは図２において遊技盤１１の背面の図画表示装置（図柄表示装置１３の背面側の詳細構成は略す）１３の下方側に取付けられるようになっている。
【００３３】
この遊技盤１１の背面とガイド部材３１Ａには一端部が一般入賞口１６Ａ、１６Ｂに連通する案内通路３２Ａ、３２Ｂ、一端部が一般入賞口１７Ａ、１７Ｂに連通する案内通路３３Ａ、３３Ｂ、一端部が一般入賞口１８Ａ、１８Ｂに連通する案内通路３４Ａ、３４Ｂ、一端部が始動入賞口１４に連通する案内通路３５、一端部が始動入賞口１５に連通する案内通路３６および一端部が大入賞口１９に連通する案内通路３７が形成されている。
【００３４】
なお、これら案内通路３２Ａ、３２Ｂおよび案内通路３４Ａ、３４Ｂは一部が共通の通路となっており、案内通路３５および案内通路３６は一部が共通の通路となっている。
【００３５】
また、案内通路３２Ａ、３２Ｂ、３３Ａ、３３Ｂ、３４Ａ、３４Ｂ、３５、３６、３７の他端部は集結通路３８によって集結されており、この集結通路３８には遊技球を検知する遊技球検知センサ３９が設けられている。この遊技球検知センサ３９は制御基板に接続されており、制御基板は遊技球検知センサ３９の検知信号に基づいて所定数の賞球（景品球）を払い出すようになっている。
【００３６】
また、本実施形態では、案内通路３２Ａ、３２Ｂ、３３Ａ、３３Ｂ、３４Ａ、３４Ｂ、３５、３６、３７を形成する図３のガイド部材３１Ａおよび図４のカバー部材３１Ｂ（図２の斜線で示す部分）を、帯電防止性樹脂で形成している。
【００３７】
この帯電防止性樹脂としては、ＡＢＳ樹脂を７０〜９５重量％、好ましくは７５〜９０重量％に対してポリアミド系の吸湿性材料を５〜３０重量％、好ましくは１０〜２５重量％含有させたものを用いることができる。ポリアミド系の吸湿性材料としては、ＡＢＳ樹脂との相性が良く価格が安いという点で、ポリエーテルエステルアミドを用いるのが好ましい。
【００３８】
吸湿性材料の含有率が上記下限値を下回ると、帯電防止効果が発現し難くなる。また、吸湿性材料の含有率が上記上限値を上回る（ＡＢＳ樹脂の含有率が上記下限値を下回る）と、成型品の強度が低下する。
【００３９】
なお、上述した材料の帯電防止性樹脂に代えて、防止スプレーを用いることも考えられるが、この場合には、帯電防止効果が強いものの、案内通路から剥がれ易くて持続性に乏しく好ましくない。
【００４０】
また、上述した材料の帯電防止性樹脂に代えて、界面活性剤を用いた場合には、帯電防止効果が弱い上に案内通路から剥がれやすくて持続性も乏しく好ましくない。
【００４１】
また、金属粉やカーボンを添加することも考えられるが、この場合には、急激な静電気の放電が生じてしまい、好ましくない。
【００４２】
このような構成を有する本実施形態では、始動入賞口１４、変動始動入賞口１５、一般入賞口１６Ａ、１６Ｂ、１７Ａ、１７Ｂ、１８Ａ、１８Ｂ、大入賞口１９に入賞した遊技球は、それぞれ案内通路３２Ａ、３２Ｂ、３３Ａ、３３Ｂ、３４Ａ、３４Ｂ、３５、３６、３７を通してよって集結されており、この集結通路３８に集められ、この集結通路３８に設けられた遊技球検知センサ３９によって検知される。
【００４３】
そして、この遊技球検知センサ３９の検知情報は制御基板に入力され、制御基板３９はこの検知情報に基づいて所定数の賞球を球受け皿に払い出すようになっている。
【００４４】
本実施形態では、案内通路３２Ａ、３２Ｂ、３３Ａ、３３Ｂ、３４Ａ、３４Ｂ、３５、３６、３７を形成するガイド部材３１Ａおよびカバー部材３１Ｂを帯電防止性樹脂から構成しているため、上述した一般入賞口１５等に入賞して案内通路３２Ａ、３２Ｂ等に案内される遊技球に静電気が帯電するのを防止することができ、静電気が遊技球検知センサ３９を介して制御基板に流れるのを防止して、制御基板の誤作動が発生するのを防止することができる。
また、本実施形態では、帯電防止性樹脂は、７０〜９５％重量のＡＢＳ樹脂に、５〜３０％重量のポリアミド系の吸湿性材料を添加したものから構成したため、帯電防止効果を持続することができる。
【００４５】
【発明の効果】
本発明によれば、入賞口に入賞して遊技盤の背面に設けられた案内通路に案内される遊技球に静電気が帯電するのを防止することができ、静電気が遊技球検知センサを介して制御基板に流れるのを防止して、制御基板の誤作動が発生するのを防止することができる。
【図面の簡単な説明】
【図１】本発明に係る遊技機の一実施形態を示す図であり、そのパチンコ遊技機の遊技盤の正面図である。
【図２】一実施形態の遊技盤の背面図である。
【図３】一実施形態のガイド部材の構成図である。
【図４】一実施形態のカバー部材の構成図である。
【符号の説明】
１０　　パチンコ遊技機（遊技機）
１１　　遊技盤
１４　　始動入賞口（入賞口）
１５　　変動始動入賞口（入賞口）
１６Ａ、１６Ｂ、１７Ａ、１７Ｂ、１８Ａ、１８Ｂ　　一般入賞口（入賞口）
１９　　大入賞口（入賞口）
３１Ａ　　ガイド部材
３１Ｂ　　カバー部材
３２Ａ、３２Ｂ、３３Ａ、３３Ｂ、３４Ａ、３４Ｂ、３５、３６、３７　　案内通路
３８　　集結通路
３９　　遊技球検知センサ
【図１】
2004033410.tif 000003
【図２】
2004033410.tif 000004
【図３】
2004033410.tif 000005
【図４】
2004033410.tif 000006